(57)【要約】【課題】送信用アンプのＡＳＥ光を用いて受信用アンプの利得設定を行い、既存の信号光の設定を変えることなく利得の設定を可能とする。【解決手段】前局側からの波長分割多重光信号を受信増幅する受信用アンプと、後局側に波長分割多重光信号を出力する送信用アンプを有する複数の波長分割多重伝送装置を多段に接続したネットワークにおける前記受信用アンプの利得設定方法であって、自局装置の受信用アンプの電源投入時に、前記受信用アンプの利得設定の必要性を検知し、前局の波長分割多重伝送装置にＡＳＥ光出力を要求し、前記ＡＳＥ光出力の要求に基づき前記前局の波長分割多重伝送装置で、通過光及び挿入光を遮断し、信号光の所定波長数分に相当するＡＳＥ光を出力し、前記自局装置の受信用アンプは、前記ＡＳＥ光により利得設定を行い、前記利得設定の完了後に前記自局装置で光信号受信及び、前記前局の波長分割多重伝送装置で光信号の出力に切り替える。【選択図】図２
2004187071.tif 000002
【特許請求の範囲】
【請求項１】
前局側からの波長分割多重光信号を受信増幅する受信用アンプと、後局側に波長分割多重光信号を出力する送信用アンプを有する複数の波長分割多重伝送装置を多段に接続したネットワークにおける前記受信用アンプの利得設定方法であって、
自局装置の受信用アンプの電源投入時に、前記受信用アンプの利得設定の必要性を検知し、
前局の波長分割多重伝送装置にＡＳＥ光出力を要求し、
前記ＡＳＥ光出力の要求に基づき前記前局の波長分割多重伝送装置で、通過光及び挿入光を遮断し、信号光の所定波長数分に相当するＡＳＥ光を出力し、
前記自局装置の受信用アンプは、前記ＡＳＥ光により利得設定を行い、
前記利得設定の完了後に前記自局装置で光信号受信及び、前記前局の波長分割多重伝送装置で光信号の出力に切り替える
ことを特徴とする波長分割多重化伝送装置における受信用アンプの利得設定方法。
【請求項２】
前局側からの波長分割多重光信号を受信増幅する受信用アンプと、後局側に波長分割多重光信号を出力する送信用アンプを有する複数の波長分割多重伝送装置を多段に接続したネットワークにおける前記受信用アンプの利得設定方法であって、
前記波長分割多重伝送装置間を繋ぐファイバー断からの復旧時又は、ファイバー交換時に、前記受信用アンプの利得設定の必要性を検知し、
前局の波長分割多重伝送装置にＡＳＥ光出力を要求し、
前記ＡＳＥ光出力の要求に基づき前記前局の波長分割多重伝送装置で、通過光及び挿入光を遮断し、信号光の所定波長数分に相当するＡＳＥ光を出力し、
前記自局装置の受信用アンプは、前記ＡＳＥ光により利得設定を行い、
前記利得設定の完了後に前記自局装置で光信号受信及び、前記前局の波長分割多重伝送装置で光信号の出力に切り替える
ことを特徴とする波長分割多重化伝送装置における受信用アンプの利得設定方法。
【請求項３】
請求項１又は２において、
前記送信用アンプの入力側に配置されるシャッターを閉じることにより前記通過光及び挿入光を遮断することを特徴とする波長分割多重化伝送装置における受信用アンプの利得設定方法。
【請求項４】
請求項３において、
前記前局の送信用アンプがＡＳＥ光を出力する際、前記送信用アンプの入力側に配置されるシャッターの状態を監視し、異常が生じた場合、保守者に異常を通知することを特徴とする波長分割多重化伝送装置における受信用アンプの利得設定方法。
【請求項５】
請求項１または２において、
前記自局装置で前局の送信用アンプのＡＳＥ光出力の安定状態を監視し、前記自局の受信用アンプの利得設定中に前記前局の送信用アンプの非安定状態を検出した場合には、前記自局の受信用アンプの利得設定を中止し、再度前局の送信用アンプのＡＳＥ光出力の安定状態を検出後に、前記自局の受信用アンプの利得を再設定することを特徴とする波長分割多重化伝送装置における受信用アンプの利得設定方法。
【発明の詳細な説明】
【０００１】
【発明の属する技術分野】
本発明は、波長分割多重化伝送装置における利得設定方法に関する。特に、光ファイバー増幅器に対する励起光により発生される自然放出光（ＡＳＥ：Ａｍｐｌｉｆｉｅｄ  Ｓｐｏｎｔａｎｏｕｓ  Ｅｍｉｓｓｉｏｎ）を用いる利得設定方法に関する。
【０００２】
【従来の技術】
近年、光伝送技術において、波長の異なる複数の光信号を多重化して伝送する波長分割多重（ＷＤＭ：Ｗａｖｅｌｅｎｇｔｈ  Ｄｉｖｉｓｉｏｎ  Ｍｕｌｔｉｐｌｅｘｉｎｇ）の技術が実用化され、その技術もますます進歩している。
【０００３】
図１は、波長分割多重（ＷＤＭ）光伝送システムにおいて、タンデムに接続された複数の中継装置における、隣接する２つの中継装置としてのＷＤＭ伝送装置の構成例である。
【０００４】
ＷＤＭ伝送装置では隣り合ったＡ、Ｂ局において、Ａ局からＢ局へ出力された信号光は、伝送路２０２により伝送され、Ｂ局の受信アンプユニット１２０の受信用アンプ（Ｐｒｅ−Ａｍｐ）１１１に入力される。
【０００５】
受信用アンプ１１１で増幅された信号光は、波長分離器（ＤＭＵＸ）１１２で波長毎の信号光に分離され、光スイッチ１１３で経路選択（通過Ｔｈｒｕ／挿入Ａｄｄ／分岐Ｄｒｏｐ）される。
【０００６】
さらに、光スイッチ１１３により通過（Ｔｈｒｕ）された波長光については、光可変減衰器  （ＶＯＡ）１１４で波長ごとにレベル調整され、送信アンプユニット１３０の波長多重器  （ＭＵＸ）１１５に入力される。ついで、波長多重器  （ＭＵＸ）１１５で波長多重され、送信アンプユニット１３０の送信用アンプ（Ｐｏｓｔ−Ａｍｐ）１１６で増幅されて、伝送路２０３によりＥＡＳＴ側の図示されていない更なる次局へ伝送される。
【０００７】
ここで、受信用アンプ（Ｐｒｅ−Ａｍｐ）１１１及び、送信用アンプ（Ｐｏｓｔ−Ａｍｐ）１１６は、レーザダイオード（ＬＤ）からの励起光を用いる光ファイバー増幅器を使用し、レーザダイオード（ＬＤ）電流の大きさによって増幅率が制御される。
【０００８】
一方、光スイッチ１１３により分岐（Ｄｒｏｐ）された波長については、伝送路２０７により、他のネットワークへ伝送される。また、伝送路２０６から光スイッチ１１３で新たに挿入（Ａｄｄ）された波長については、通過（Ｔｈｒｕ）された波長同様に光可変減衰器  （ＶＯＡ）１１４でレベル調整を行い、波長多重器  （ＭＵＸ）１１５で波長多重される。ついで、送信用アンプ１１６で増幅されて、伝送路２０３によりＥＡＳＴ側の図示されていない次局へ伝送される。
【０００９】
同様にＢ局からＡ局へ出力された信号光は伝送路２１２により伝送され、Ａ局の受信アンプユニット２３０の受信用アンプ１４１へ入力される。Ａ局の受信用アンプ１４１で増幅された信号光は、波長分離器（ＤＭＵＸ）１４２で波長ごとに分離され、光スイッチ１４３で経路選択（通過Ｔｈｒｕ／挿入Ａｄｄ／分岐Ｄｒｏｐ）される。通過（Ｔｈｒｕ）及び光スイッチ１４３で挿入された伝送路２１６からの信号光は光可変減衰器  （ＶＯＡ）１４４で各波長のレベル調整を行い、送信アンプユニット２４０の波長多重器  （ＭＵＸ）１４５で波長多重され、送信用アンプ１４６で増幅されて、伝送路２１３によりＷＥＳＴ側の図示されていない次局へ伝送される。
【００１０】
このように、従来例としてＷＤＭ伝送装置がタンデムに接続され、両方向に光伝送が行なわれ、各中継装置において、光信号の分岐挿入が行なわれる（例えば、特許文献１参照）。
【００１１】
【特許文献１】
特許第３２４１３３７号公報
ここで、ＷＤＭ伝送装置では、受信用アンプ及び、送信用アンプにおいて、１波当たりのレベルが一定となるように光信号を増幅する必要があり、そのためには、各アンプに対して適切な利得（増幅度）を設定する必要がある。
【００１２】
Ａ局の送信アンプユニット１１０における送信用アンプ１０６、Ｂ局の受信アンプユニット１２０の受信用アンプ１１１を例にすると、光可変減衰器  （ＶＯＡ）１０４により各波長のレベルが調整されて光信号が送信用アンプ１０６に入力されるため、利得を一意に決定することが可能である。
【００１３】
しかし、Ｂ局において、受信用アンプ１１１に関しては伝送路２０２の伝送路損失等に入力光のレベルが依存するため、受信用アンプ１１１の電源投入時及び伝送路２０２のファイバー交換やファイバー断からの復旧時には、受信用アンプ１１１への入力レベルに合わせて受信用アンプ１１１の利得を決定する必要がある。
【００１４】
ここで、受信用アンプ１１１の利得を正しく設定するためには、受信用アンプ１１１の利得設定中は、受信用アンプ１１１に一定波長数の安定したレベルの入力光が入力されていることが必要である。
【００１５】
そこで、送信用アンプ１０６への入力光を波長数一定で安定した光レベルの入力光とすることで、送信用アンプ１０６の出力光を安定させ、受信用アンプ１１１に対し一定波長数の安定した入力光を与えるようにすることが必要である。
【００１６】
そして、このための対応として、送信用アンプ１０６への入力光を波長数一定で安定した光レベルの入力光とする方法では、Ａ局に対する前局から伝送されてくる通過光を止め、Ａ局の光スイッチ１０３により挿入（Ａｄｄ）光を設定するか、又は、基準光用の光源１０７を用意し、一定光を送信用アンプ１０６へ入力させる方法が考えられる。
【００１７】
また、Ａ局の前局からの通過（Ｔｈｒｕ）光を止める方法としては、Ａ局の光スイッチ１０３において、通過（Ｔｈｒｕ）光を伝送路２０５に全て分岐（Ｄｒｏｐ）させる方法も考えられる。あるいは、光可変減衰器  （ＶＯＡ）１０４で通過（Ｔｈｒｕ）光を減衰させることも可能である。
【００１８】
【発明が解決しようとする課題】
しかし、上記のいずれの方法による場合も伝送路２０４に繋がる挿入光源や基準光用の光源１０７を用意しなければならず、タンデムに接続された全局において、かかる光源を用意するためには、大きなコストがかかるという問題がある。
【００１９】
また、受信用アンプの立ち上げ用の光源を用いて受信用アンプの利得設定を行う場合、光源が用意されていないスパンの受信用アンプについては、前のスパンの受信用アンプの利得設定が終了後、前のスパンの送信用アンプの出力光を用いて利得の設定を行うことが考えられる。
【００２０】
しかし、光源が設定されたスパンの受信用アンプから順番に利得設定が行われ、全てのスパンの受信用アンプの利得設定が完了するまでにはスパン分の時間がかかるという問題がある。
【００２１】
また、光源が無いスパンの受信用アンプの利得を設定する時に、他のスパンがサービス状態である場合、光源が無いスパンの受信用アンプ利得設定のために、光源のあるスパンから光源の無いスパンまでのサービスを一時中止しなければならないという問題がある。
【００２２】
また、光可変減衰器  （ＶＯＡ）１０４により送信用アンプ１０６への通過光を止めた場合、光可変減衰器１０４が通過光を完全に減衰しきれず、洩れ光が生じてしまう。洩れ光が生じた場合、受信用アンプ１１１への入力が安定せず、利得が正しく設定できないという問題が生じる。そこで、送信用アンプ１０６への洩れ光を完全に遮断することが課題となる。
【００２３】
また、受信用アンプ１１１の利得設定が必要な時、保守者が受信用アンプ１１１の利得設定の必要性を認識し、受信用アンプ１１１の利得設定用の入力光を設定しなければならない。更に、受信用アンプ１１１の利得設定終了後も同様に、受信用アンプ１１１の利得設定用の入力光を再び元に戻し、信号光の設定を行わなければならない。そのため、受信用アンプの利得設定完了までに保守者の手が多く介在し、保守者に負担がかかると共に、人為的ミスが発生する可能性があるという問題がある。
【００２４】
更に、受信用アンプ１１１の利得設定を行う時、利得設定用の光が設定された波長に関しては、その波長の信号光が潰されてしまう（信号光として使用できなくなる）という問題が生ずる。そこで、受信用アンプ１１１の利得設定時に、既存の信号光の設定は変えずに、受信用アンプ１１１へ安定した光レベルの入力光を入力することが必要となる。
【００２５】
従って、本発明の目的は、上記の諸々の問題を解消するＷＤＭ伝送装置における受信用アンプの利得設定方法を提供することにある。
【００２６】
【課題を解決するための手段】
上記の本発明の課題を達成するＷＤＭ伝送装置における受信用アンプの利得設定方法の第１の態様は、前局側からの波長分割多重光信号を受信増幅する受信用アンプと、後局側に波長分割多重光信号を出力する送信用アンプを有する複数の波長分割多重伝送装置を多段に接続したネットワークにおける前記受信用アンプの利得設定方法であって、
自局装置の受信用アンプの電源投入時に、前記受信用アンプの利得設定の必要性を検知し、
前局の波長分割多重伝送装置にＡＳＥ光出力を要求し、
前記ＡＳＥ光出力の要求に基づき前記前局の波長分割多重伝送装置で、通過光及び挿入光を遮断し、信号光の所定波長数分に相当するＡＳＥ光を出力し、
前記自局装置の受信用アンプは、前記ＡＳＥ光により利得設定を行い、
前記利得設定の完了後に前記自局装置で光信号受信及び、前記前局の波長分割多重伝送装置で光信号の出力に切り替える
ことを特徴とする。
【００２７】
上記の本発明の課題を達成するＷＤＭ伝送装置における受信用アンプの利得設定方法の第２の態様は、前局側からの波長分割多重光信号を受信増幅する受信用アンプと、後局側に波長分割多重光信号を出力する送信用アンプを有する複数の波長分割多重伝送装置を多段に接続したネットワークにおける前記受信用アンプの利得設定方法であって、
前記波長分割多重伝送装置間を繋ぐファイバー断からの復旧時又は、ファイバー交換時に、前記受信用アンプの利得設定の必要性を検知し、
前局の波長分割多重伝送装置にＡＳＥ光出力を要求し、
前記ＡＳＥ光出力の要求に基づき前記前局の波長分割多重伝送装置で、通過光及び挿入光を遮断し、信号光の所定波長数分に相当するＡＳＥ光を出力し、
前記自局装置の受信用アンプは、前記ＡＳＥ光により利得設定を行い、
前記利得設定の完了後に前記自局装置で光信号受信及び、前記前局の波長分割多重伝送装置で光信号の出力に切り替える
ことを特徴とする。
【００２８】
上記の本発明の課題を達成するＷＤＭ伝送装置における受信用アンプの利得設定方法の第３の態様は、第１又は第２の態様において、
前記信号光の所定波長数分に相当するＡＳＥ光は、信号光の一波長分相当のＡＳＥ光であることを特徴とする。
【００２９】
上記の本発明の課題を達成するＷＤＭ伝送装置における受信用アンプの利得設定方法の第４の態様は、第１又は第２の態様において、
前記複数の波長分割多重伝送装置は、装置全体を制御するネットワークエレメントを備え、前記自局の受信用アンプの電源投入時に、自局のネットワークエレメントにより、前記受信用アンプの利得設定の必要性を検出することを特徴とする。
【００３０】
上記の本発明の課題を達成するＷＤＭ伝送装置における受信用アンプの利得設定方法の第５の態様は、第１又は第２の態様において、
前記送信用アンプの入力側に配置されるシャッターを閉じることにより前記通過光及び挿入光を遮断することを特徴とする。
【００３１】
上記の本発明の課題を達成するＷＤＭ伝送装置における受信用アンプの利得設定方法の第６の態様は、第５の態様において、
前記前局の送信用アンプがＡＳＥ光を出力する際、前記送信用アンプの入力側に配置されるシャッターの状態を監視し、異常が生じた場合、保守者に異常を通知することを特徴とする。
【００３２】
上記の本発明の課題を達成するＷＤＭ伝送装置における受信用アンプの利得設定方法の第７の態様は、第１又は第２の態様において、
前記自局装置で前局の送信用アンプのＡＳＥ光出力の安定状態を監視し、前記自局の受信用アンプの利得設定中に前記前局の送信用アンプの非安定状態を検出した場合には、前記自局の受信用アンプの利得設定を中止し、再度前局の送信用アンプのＡＳＥ光出力の安定状態を検出後に、前記自局の受信用アンプの利得を再設定することを特徴とする。
【００３３】
本発明の特徴は、以下に図面に従い説明される発明の実施の形態例から更に明らかになる。
【００３４】
【発明の実施の形態】
図２は、波長分割多重（ＷＤＭ）光伝送システムにおける中継装置としてのＷＤＭ伝送装置の、本発明に従う実施の形態例である。図３〜図９は、図２の構成を用いる実施例動作フローであり、図１０は、図３〜図９の関係を示す図である。
【００３５】
即ち、図１０に示すように、実施例動作は、例えば、図３と、図７〜図９の流れを有し、図３の部分のみを変更することにより、図４、図５、又は図６の異なる実施例が得られる。
【００３６】
先ず、図３及び、図７〜図９を参照して、図２における第１の実施例動作について説明する。
【００３７】
図２において、Ｂ局のネットワークエレメント（ＮＥＭ）３１１は、Ｂ局全体を制御する装置である。自（Ｂ）局の受信アンプ（プリアンプ）ユニット１２０に電源が投入されると（処理工程Ｐ０）、受信アンプユニット１２０の図示しない制御部からネットワークエレメント（ＮＥＭ）３１１に対し、利得設定のために、条件（プロビジョニング：ｐｒｏｖｉｓｉｏｎｉｎｇ）情報を要求する（処理工程Ｐ１）。
【００３８】
これに対し、ネットワークエレメント（ＮＥＭ）３１１から受信アンプユニット１２０の制御部にプロビジョニング情報が送られる（処理工程Ｐ２）。
【００３９】
受信アンプユニット１２０では、これにより、制御部により受信用アンプ１２０に対し、プロビジョニング情報に対応する設定を指示する（処理工程Ｐ３）。
【００４０】
受信用アンプ１１１に対し、ＡＳＥ光による利得制御が要求されると、Ｂ局のＷＤＭ伝送装置の受信用アンプ１１１に、出力の目標値等の条件（Ｐｒｏｖｉｓｉｏｎｉｎｇ）が設定される。
【００４１】
受信用アンプ１１１にプロビジョニング設定が終了すると、ＡＳＥ光による利得設定の準備状態となり（処理工程Ｐ４）、ＡＭＰモードが制御部に通知され（処理工程Ｐ４−１）、受信用アンプ１１１がサポート範囲内に設定されていれば、Ａ局の送信アンプユニット１１０に対してＡＳＥ光出力を要求する状態となる（処理工程Ｐ５、Ｙｅｓ）。
【００４２】
ここで、ＡＳＥ光は、送信用アンプ１０６としての光ファイバー増幅器に供給するレーザダイオード（ＬＤ）による励起光により誘導される自然放出光（ＡＳＥ：Ａｍｐｌｉｆｉｅｄ  Ｓｐｏｎｔａｎｏｕｓ  Ｅｍｉｓｓｉｏｎ）である。
【００４３】
更に、ＡＳＥ光による利得制御は、図１１に示す如くであり、ＡＧＣ制御モードにおいては、入力波長数（横軸）が大きくなると受信用アンプ１１１を励起するＬＤ電流（縦軸）が大きくなる。これに対し、ＡＳＥモード制御では、送信用アンプ１０６から送られる光信号の波長数を一波相当に固定し、従って、受信用アンプ１１１に対する励起用のＬＤ電流は一定となり、利得設定が容易である。
【００４４】
ＡＳＥ光による利得制御が要求されると、Ｂ局のＷＤＭ伝送装置の光信号制御回路（ＯＳＣ）３１２から伝送路２１２及び、Ａ局の光信号制御回路（ＯＳＣ）３０２を経由してＡ局の送信アンプユニット１１０に対し、ＡＳＥ光出力要求を意味する情報ＡＳＥＲＥＱ＝１をＯＳＣ信号により通知する（処理工程Ｐ６−１，６−２，６−３）。
【００４５】
更に、図７に移行し、Ａ局の送信アンプユニット１１０の制御部は情報信号ＡＳＥＲＥＱ＝１を検出する（処理工程Ｐ７）と、シャットダウン状態とする情報信号ＳｈｕｔＤｏｗｎＸ＝１を送信用アンプ１０６に送る（処理工程Ｐ８）。
【００４６】
更に、送信用アンプ１０６へ入力される通過（Ｔｈｒｕ）光及び挿入（Ａｄｄ）光を遮断するようにシャッター１０８を制御する（処理工程Ｐ９）。
【００４７】
処理工程Ｐ９におけるシャッター１０８の閉接制御によりシャッター１０８の閉接を確認し、閉接状態になっていなければ（処理工程Ｐ１０、Ｎｏ）、Ａ局のネットワークエレメント（ＮＥＭ）３０１に異常を通知する（処理工程Ｐ１１）。
【００４８】
ネットワークエレメント（ＮＥＭ）３０１では、送信アンプユニット１１０の制御部からの異常通知を受けると、アラームを出し、保守者に異常を通知する（処理工程Ｐ１２）。
【００４９】
一方、処理工程Ｐ１０でシャッター１０８の閉接状態を確認すると（処理工程Ｐ１０、Ｙｅｓ）、送信用アンプ１０３に前記の情報信号ＡＳＥＲＥＱ＝１を送る（処理工程Ｐ１３）。
【００５０】
情報信号ＡＳＥＲＥＱ＝１に基づき送信用アンプ１０６は、ＡＳＥ光出力準備が完了した状態で情報信号ＡＳＥ＝１を生成し（処理工程Ｐ１４）、これを送信アンプユニット１１０の制御部に通知する（処理工程Ｐ１５）。
【００５１】
情報信号ＡＳＥ＝１を受けると、送信アンプユニット１１０の制御部はシャットダウンを解除する情報信号ＳｈｕｔＤｏｗｎＸ＝０を送信用アンプ１０６に送る（処理工程Ｐ１７）。送信用アンプ１０６は、信号光ｎ波分に相当するＡＳＥ光の出力を開始する（処理工程Ｐ１８）。
【００５２】
送信用アンプ１０６は、信号光ｎ波分に相当するＡＳＥ光の出力が安定すると、出力安定を意味する情報信号ＡＳＥ＿ＮＯＲＭＯＰ＝１を生成し（処理工程Ｐ１９）、この情報信号ＡＳＥ＿ＮＯＲＭＯＰ＝１をＢ局の受信用アンプユニット１２０に対し、光信号制御回路（ＯＳＣ）３０２から伝送路２０２及び、Ｂ局の光信号制御回路（ＯＳＣ）３１２を経由して、ＯＳＣ信号により通知する（処理工程Ｐ２０−１，２０―２，２０−３，２０−４）。
【００５３】
Ｂ局の受信アンプユニット１２０の制御部は情報信号ＡＳＥ＿ＮＯＲＭＯＰ＝１を検出すると受信用アンプ１１１の利得設定の開始を受信用アンプ１１１に対し要求する（処理工程Ｐ２１）。この要求は、情報信号ＳｈｕｔＤｏｗｎＸ＝０として通知される（処理工程Ｐ２２）。
【００５４】
これにより利受信用アンプ１１１は、利得設定を開始する（処理工程Ｐ２３）。一方、Ａ局の送信アンプユニット１１０の制御部は、送信用アンプ１０６のＡＳＥ光出力レベルの安定を監視し、不安定になった場合（処理工程Ｐ２４、Ｎ０）は、情報信号ＡＳＥ＿ＮＯＲＭＯＰ＝０をＢ局の受信用アンプユニット１２０に対し、光信号制御回路（ＯＳＣ）３０２から伝送路２０２及び、Ｂ局の光信号制御回路（ＯＳＣ）３１２を経由して、ＯＳＣ信号により通知する（処理工程Ｐ２５−１，２５―２，２５−３，２５−４）。
【００５５】
次に、図８の処理に移行し、Ｂ局の受信アンプユニット１２０の制御部では、情報信号ＡＳＥ＿ＮＯＲＭＯＰ＝１のままであるかを検知する（処理工程Ｐ２６）。情報信号ＡＳＥ＿ＮＯＲＭＯＰ＝０に変化した場合（処理工程Ｐ２６、Ｎｏ）は、情報信号ＳｈｕｔＤｏｗｎＸ＝１を受信用アンプ１１１に送る（処理工程Ｐ２７）と共に、処理工程Ｐ２１（図８参照）に戻る。
【００５６】
受信用アンプ１１１は、情報信号ＳｈｕｔＤｏｗｎＸ＝１に変化したかを検知し（処理工程Ｐ２９）し、情報信号ＳｈｕｔＤｏｗｎＸ＝１となった場合（処理工程Ｐ２９、Ｙｅｓ）は、利得制御を中止する（処理工程Ｐ３０）。
【００５７】
利得制御が完了している場合は、情報信号ＡＧＣ／ＡＬＣ＝１を通知する（処理工程Ｐ３１）。情報信号ＡＧＣ／ＡＬＣ＝１は、受信アンプユニット１２０の制御部に通知され（処理工程Ｐ３２）。制御部は、更にこれを受けて、Ａ局の送信アンプユニット１１０の送信用アンプ１０６にＡＳＥ光出力停止を要求する（処理工程Ｐ３３）。
【００５８】
この要求のために、情報信号ＡＳＥＲＥＱ＝０を光信号制御回路（ＯＳＣ）３１２から伝送路２１２及び、Ａ局の光信号制御回路（ＯＳＣ）３０２を経由して、ＯＳＣ信号により送信アンプユニット１１０の制御部に通知する（処理工程Ｐ３４−１，３４―２，３４−３，３４−４）。
【００５９】
Ａ局の送信アンプユニット１１０の制御部は、情報信号ＡＳＥＲＥＱ＝０を受信すると、送信用アンプ１０６に対し、ＡＳＥ光出力を終了し信号光に切り替えるように制御する（処理工程Ｐ３５）。この制御は、図９に移行し、送信アンプユニット１１０の制御部から情報信号ＳｈｕｔＤｏｗｎＸ＝１及び、ＡＳＥＲＥＱ＝０を送信用アンプ１０６に送ることにより行われる（処理工程Ｐ３６、Ｐ３７）。
【００６０】
これに基づき、送信用アンプ１０６は、信号光出力準備が完了したら、情報信号ＡＳＥ＝０を出力し（処理工程Ｐ３８）、Ａ局の送信アンプユニット１１０の制御部に通知する（処理工程Ｐ３９）。
【００６１】
送信アンプユニット１１０の制御部は、送信用アンプ１０６から情報信号ＡＳＥ＝０を受けると、シャッター１０８を開くように制御する（処理工程Ｐ４０）。制御部は、シャッター１０８を開いていることを確認し（処理工程Ｐ４１、Ｙｅｓ）、情報信号ＳｈｕｔＤｏｗｎＸ＝０を送信用アンプ１０６に送り（処理工程Ｐ４２）、信号光出力を開始させる（処理工程Ｐ４３）。
【００６２】
図４に戻り、第２の実施例動作を説明する。図４に示す実施例では、Ｂ局のネットワークエレメント３１１から受信アンプユニット１２０の制御部に電源投入の有無をポーリングにより問いかける（処理工程Ｐ０−１）。これに対し、受信用アンプ１１１に電源が投入されるまで電源非投入を示す情報信号ＲＭＶを返送される（処理工程Ｐ０−２）。
【００６３】
受信用アンプ１１１に電源が投入されると（処理工程Ｐ０）、電源投入の有無の問いかけ（処理工程Ｐ０−１）に対し、電源投入を示す情報信号ＲＭＶ＿Ｃｌｅａｒが返送される（処理工程Ｐ０−３）。これによりネットワークエレメント３１１は、受信用アンプ１１１に電源が投入されたことを検知する（処理工程Ｐ０−４）。
【００６４】
一方、受信用アンプ１１１に電源が投入された状態で、電源投入を示す情報信号ＲＭＶ＿Ｃｌｅａｒがネットワークエレメント３１１に返送されると、受信アンプユニット１２０の制御部からネットワークエレメント３１１に対し、利得設定のために、条件（プロビジョニング：ｐｒｏｖｉｓｉｏｎｉｎｇ）情報を要求する（処理工程Ｐ１）。
【００６５】
これに対し、ネットワークエレメント（ＮＥＭ）３１１から受信アンプユニット１２０の制御部にプロビジョニング情報が送られる（処理工程Ｐ２）。
【００６６】
受信アンプユニット１２０では、これにより、制御部により受信用アンプ１２０に対し、プロビジョニング情報に対応する設定を指示する（処理工程Ｐ３）。
【００６７】
受信用アンプ１１１に対し、ＡＳＥ光による利得制御が要求されると、Ｂ局のＷＤＭ伝送装置の受信用アンプ１１１に、出力の目標値等の条件（Ｐｒｏｖｉｓｉｏｎｉｎｇ）が設定される。
【００６８】
一方、受信用アンプ１１１から制御部にＡＭＰモードが通知され（処理工程Ｐ４−１）、制御部から更にネットワークエレメント（ＮＥＭ）３１１にＡＭＰモードが通知される（処理工程Ｐ４−２）。
【００６９】
従って、ネットワークエレメント（ＮＥＭ）３１１において、サポート内に受信用アンプ１１１が設定されているか否かを判断し（処理工程Ｐ５−１）、サポート内に受信用アンプ１１１が設定されていれば、ネットワークエレメント（ＮＥＭ）３１１からＡＳＥ光出力要求を意味する情報信号ＡＳＥＲＥＱ＝１を制御部に送る。
【００７０】
制御部は、情報信号ＡＳＥＲＥＱ＝１を受けると受信用アンプ１１１に対するＡＳＥ項により利得設定要求信号ＸＡＬＣＲＥＱ＝０を生成し（処理工程Ｐ５−３）、これを受信用アンプ１１１に通知する（処理工程Ｐ５−４）。
【００７１】
従って、受信用アンプ１１１は、ＡＳＥ光による利得設定の準備状態へ遷移する（処理工程Ｐ４）。
【００７２】
制御部からは、更にＢ局のＷＤＭ伝送装置の光信号制御回路（ＯＳＣ）３１２、伝送路２１２及び、Ａ局の光信号制御回路（ＯＳＣ）３０２を経由してＡ局の送信アンプユニット１１０に対し、ＡＳＥ光出力要求を意味する情報ＡＳＥＲＥＱ＝１をＯＳＣ信号により通知する（処理工程Ｐ６−１，６−２，６−３）。
【００７３】
図４に続く動作フローは、先に説明した図７〜図９の処理に同じである。
【００７４】
以上の図３、図４及び、図７〜図９に示す実施例の動作処理を行うことによって、受信アンプユニット１２０の電源投入時、自動で、光源無しに受信用アンプ１１１の利得設定を完了させることが可能となる。また、光源を必要としないため、全局同時に、且つ各スパン独立して受信用アンプの利得設定を行うことが可能となる。
【００７５】
ここで、図２のＡ局とＢ局間において、伝送路２０２のファイバー断からの復旧及び、ファイバー交換が行われた場合を考える。
【００７６】
図５、図６は、かかる場合の実施例であり、Ａ局とＢ局を繋ぐ伝送路２０２が断線状態から復旧した時の受信用アンプ１１１の利得制御の実施例動作フローである。
【００７７】
図５の実施例において、ファイバー断が生じると（処理工程Ｐ１００）、Ｂ局の光信号制御回路（ＯＳＣ）３１２でＯＳＣ信号の断に基づき、伝送路２０２の断状態を検知する（処理工程Ｐ１０１）。
【００７８】
光信号制御回路（ＯＳＣ）３１２は、  伝送路２０２の断状態を検知すると、断状態であることを示す情報信号ＡＰＳＤ＿ＯＳＣ＝１を受信アンプユニット１２０の制御部に通知する（処理工程Ｐ１０２）。
【００７９】
受信アンプユニット１２０の制御部では、情報信号ＡＰＳＤ＿ＯＳＣ＝１を受けると、ファイバー断又は交換と看做し、受信用アンプ１１１に対し、ＡＳＥ光による利得設定要求ＸＡＬＣＲＥＱ＝０を生成し（処理工程Ｐ１０３）、これを通知する（処理工程Ｐ５−４）。従って、受信用アンプ１１１は、ＡＳＥ光による利得設定の順部状態に遷移する（処理工程Ｐ４）。
【００８０】
一方、ファイバー断が復旧すると（処理工程Ｐ１０４）、これを光信号制御回路（ＯＳＣ）３１２で検知し（処理工程Ｐ１０５）、ファイバーが正しく接続されたことを意味する情報信号ＡＰＳＤ＿ＯＳＣ＝０を受信アンプユニット１２０の制御部に通知する（処理工程Ｐ１０７）。
【００８１】
これにより、制御部からＢ局のＷＤＭ伝送装置の光信号制御回路（ＯＳＣ）３１２、伝送路２１２及び、Ａ局の光信号制御回路（ＯＳＣ）３０２を経由してＡ局の送信アンプユニット１１０に対し、ＡＳＥ光出力要求を意味する情報ＡＳＥＲＥＱ＝１をＯＳＣ信号により通知する（処理工程Ｐ６−１，６−２，６−３）。
【００８２】
以降の図５に続く動作フローは、先に説明した図７〜図９の処理に同じである。
【００８３】
図６に示す実施例動作は、光信号制御回路（ＯＳＣ）３１２でファイバー断及びファイバー断復旧を検知した時、受信アンプユニット１２０の制御部ではなく、ネットワークエレメント３１１に通知される（処理工程Ｐ１−２−１、Ｐ１０６−１）点が、図５に示す実施例動作と異なる。
【００８４】
これに対応して、ＡＳＥ光出力要求を意味する情報ＡＳＥＲＥＱ＝１がネットワークエレメント３１１から発せられ（処理工程Ｐ６−０）、受信アンプユニット１２０の制御部、Ｂ局のＷＤＭ伝送装置の光信号制御回路（ＯＳＣ）３１２、伝送路２１２及び、Ａ局の光信号制御回路（ＯＳＣ）３０２を経由してＡ局の送信アンプユニット１１０に対し、ＯＳＣ信号により通知される（処理工程Ｐ６−１，６−２，６−３）。
【００８５】
以降の処理は、先の例と同様で、先に説明した図７〜図９の処理に同じである。
【００８６】
ここで、上記各実施の形態例におけるシャッター１０２の開閉制御について更に説明する。Ａ局の送信用アンプユニット１１０において、Ｂ局の受信用アンプユニット１２０から光信号制御回路（ＯＳＣ）３１２、伝送路２１２及び光信号制御回路（ＯＳＣ）３０２経由でＡＳＥ光出力要求である情報ＡＳＥＲＥＱ＝１を受けると、送信用アンプ１０６の前段にあるシャッター１０５を閉じる。
【００８７】
また、Ｂ局の受信用アンプユニット１２０から利得設定完了を意味する情報ＡＳＥＲＥＱ＝０をＯＳＣ信号により受けると、送信用アンプユニット１０６の前段のシャッター１０８を開き、送信用アンプ１０６へ信号光を入力する。
【００８８】
即ち、送信用アンプ１０６のＡＳＥ光を出力中はシャッター１０８を閉じておくことで、送信用アンプ１０６への洩れ光を完全に遮断し、送信用アンプ１０６がＡＳＥ光のみで安定した光を出力することが出来る。これにより、Ｂ局の受信用アンプ１１１は安定した光レベルで利得設定を行うことが可能となる。
【００８９】
ここで、Ａ局の送信アンプユニット１１０において、送信用アンプ１０６の前段にあるシャッター１０８の状態を監視し、シャッター１０８の状態（開／閉）が要求と異なっている場合は、受信用アンプ１０６のＡＳＥ光出力を行わず、シャッター１０８の異常をネットワークエレメント３０１に通知する。
【００９０】
これにより、Ｂ局の受信用アンプ１１１の利得が不正な値に設定されることを防ぐことが可能である。
【００９１】
またネットワークエレメント３０１は、シャッター１０８の異常を図示しない表示装置により保守者に通知することにより、保守者はシャッター１０８の異常を認識することが可能となる。
【００９２】
（付記１）
前局側からの波長分割多重光信号を受信増幅する受信用アンプと、後局側に波長分割多重光信号を出力する送信用アンプを有する複数の波長分割多重伝送装置を多段に接続したネットワークにおける前記受信用アンプの利得設定方法であって、
自局装置の受信用アンプの電源投入時に、前記受信用アンプの利得設定の必要性を検知し、
前局の波長分割多重伝送装置にＡＳＥ光出力を要求し、
前記ＡＳＥ光出力の要求に基づき前記前局の波長分割多重伝送装置で、通過光及び挿入光を遮断し、信号光の所定波長数分に相当するＡＳＥ光を出力し、
前記自局装置の受信用アンプは、前記ＡＳＥ光により利得設定を行い、
前記利得設定の完了後に前記自局装置で光信号受信及び、前記前局の波長分割多重伝送装置で光信号の出力に切り替える
ことを特徴とする波長分割多重化伝送装置における受信用アンプの利得設定方法。
【００９３】
（付記２）
前局側からの波長分割多重光信号を受信増幅する受信用アンプと、後局側に波長分割多重光信号を出力する送信用アンプを有する複数の波長分割多重伝送装置を多段に接続したネットワークにおける前記受信用アンプの利得設定方法であって、
前記波長分割多重伝送装置間を繋ぐファイバー断からの復旧時又は、ファイバー交換時に、前記受信用アンプの利得設定の必要性を検知し、
前局の波長分割多重伝送装置にＡＳＥ光出力を要求し、
前記ＡＳＥ光出力の要求に基づき前記前局の波長分割多重伝送装置で、通過光及び挿入光を遮断し、信号光の所定波長数分に相当するＡＳＥ光を出力し、
前記自局装置の受信用アンプは、前記ＡＳＥ光により利得設定を行い、
前記利得設定の完了後に前記自局装置で光信号受信及び、前記前局の波長分割多重伝送装置で光信号の出力に切り替える
ことを特徴とする波長分割多重化伝送装置における受信用アンプの利得設定方法。
【００９４】
（付記３）    付記１又は２において、
前記信号光の所定波長数分に相当するＡＳＥ光は、信号光の一波長分相当のＡＳＥ光であることを特徴とする波長分割多重化伝送装置における受信用アンプの利得設定方法。
【００９５】
（付記４）付記１又は２において、
前記複数の波長分割多重伝送装置は、装置全体を制御するネットワークエレメントを備え、前記自局の受信用アンプの電源投入時に、自局のネットワークエレメントにより、前記受信用アンプの利得設定の必要性を検出することを特徴とする波長分割多重化伝送装置における受信用アンプの利得設定方法。
【００９６】
（付記５）付記１又は２において、
前記送信用アンプの入力側に配置されるシャッターを閉じることにより前記通過光及び挿入光を遮断することを特徴とする波長分割多重化伝送装置における受信用アンプの利得設定方法。
【００９７】
（付記６）付記５において、
前記前局の送信用アンプがＡＳＥ光を出力する際、前記送信用アンプの入力側に配置されるシャッターの状態を監視し、異常が生じた場合、保守者に異常を通知することを特徴とする波長分割多重化伝送装置における受信用アンプの利得設定方法。
【００９８】
（付記７）付記１または２において、
前記自局装置で前局の送信用アンプのＡＳＥ光出力の安定状態を監視し、前記自局の受信用アンプの利得設定中に前記前局の送信用アンプの非安定状態を検出した場合には、前記自局の受信用アンプの利得設定を中止し、再度前局の送信用アンプのＡＳＥ光出力の安定状態を検出後に、前記自局の受信用アンプの利得を再設定することを特徴とする波長分割多重化伝送装置における受信用アンプの利得設定方法。
【００９９】
【発明の効果】
以上図面に従い、発明の実施の形態例を説明したように本発明により以下のような効果が得られる。
【０１００】
送信用アンプのＡＳＥ光により受信用アンプの利得設定を行うため、受信用アンプ利得設定用の光源を必要としない。これにより全局に光源を用意するためのコストを削減することが可能となる。
【０１０１】
送信用アンプのＡＳＥ光により受信用アンプの利得設定を行うため、各スパンが独立して、同時に受信用アンプの利得設定が可能となる。よって、全スパンの受信用アンプ  利得設定時間がスパン数に依存せず、設定時間の短縮が可能となる。また、各スパンが、他のスパンに依存せず独立して受信用アンプ利得の設定が出来るため、他のスパンがサービス状態であっても、サービスに影響を与えることなく、受信用アンプ利得設定が可能となる。
【０１０２】
送信用アンプの前段にシャッターを設けることで、送信用アンプへの洩れ光を完全に遮断することが出来るため、受信用アンプが安定した入力レベルで利得設定を行い、正しい利得を設定することが可能となる。
【０１０３】
受信用アンプの利得設定に関し、利得設定の必要性を検出し、利得設定完了後に信号光を通過させるまでを全て自動で行うため、保守者の負担が軽減するとともに、信頼性が向上する。
【０１０４】
更に、送信用アンプのＡＳＥ光を用いて受信用アンプの利得設定を行うため、既存の信号光の設定を変えることなく利得の設定が可能となる。
【図面の簡単な説明】
【図１】隣接する２つの中継装置としてのＷＤＭ伝送装置の構成例を示す図である。
【図２】波長分割多重（ＷＤＭ）光伝送システムにおける中継装置としてのＷＤＭ伝送装置の、本発明に従う実施の形態例を示す図である。
【図３】図２の構成を用いる第１の実施例動作フロー（その１）である。
【図４】図２の構成を用いる第２の実施例動作フロー（その１）である。
【図５】図２の構成を用いる第３の実施例動作フロー（その１）である。
【図６】図２の構成を用いる第４の実施例動作フロー（その１）である。
【図７】第１〜第４に共通の実施例動作フロー  （その２）である。
【図８】第１〜第４に共通の実施例動作フロー  （その３）である。
【図９】第１〜第４に共通の実施例動作フロー  （その４）である。
【図１０】図３〜図９の関係を示す図である。
【図１１】ＡＧＣモード時及び、ＡＳＥモード実施の形態のＬＤ電流比較図である。
【符号の説明】
１１０  送信アンプユニット
１２０  受信アンプユニット
１０６  送信用アンプ
１１１  受信用アンプ
１０５  シャッター
３１１、３０１  ネットワークエレメント
３０２、３１２  光信号制御回路（ＯＳＣ）
【図１】
2004187071.tif 000003
【図２】
2004187071.tif 000004
【図３】
2004187071.tif 000005
【図４】
2004187071.tif 000006
【図５】
2004187071.tif 000007
【図６】
2004187071.tif 000008
【図７】
2004187071.tif 000009
【図８】
2004187071.tif 000010
【図９】
2004187071.tif 000011
【図１０】
2004187071.tif 000012
【図１１】
2004187071.tif 000013